(57)【要約】【課題】  今日、広告の電子メールが一方的に多量に送られてきて、多くの人々にとって迷惑な状況にある中で、広告主側としてはユーザーに喜ばれる有効な広告電子メールを求めている。【解決手段】  本発明は、現実世界のスクラッチカードをパソコンや携帯端末や携帯電話の画面上で実現し、それを電子メールシステムに取り込むことにより、販売促進のツールとして活用し、特典付きのメールとして、受け取ったユーザーに喜ばれる、有効な広告電子メールを実現する。【選択図】図１
2005222514.tif 000002
【特許請求の範囲】
【請求項１】
メールサーバーと、少なくとも第１クライアント及び第２クライアントとが電子通信回線を介して接続されている電子メールシステムにおいて、第１クライアントからメールサーバーを介して第２クライアントに電子メールを送信するに際して、第１クライアント側において、２層のレイヤー構造からなり、下層レイヤーには数字や絵柄等が書き込まれ、上層レイヤーは下層レイヤーの一部もしくは全部を覆い隠しているカードの画像を送信し、第２クライアント側において、そのカードの画像を受信して、そのカードの画像を表示させ、ポインタをカード上に合わせて、クリックしたりこすったりすることにより、もしくはタッチペンや指でカード上をクリックしたりこすったりすることにより、もしくは上層レイヤーの各部に番号や記号を配し、その番号や記号を指定することにより、上層レイヤーの一部あるいは全部が透明化もしくは削除され、その部分の下層レイヤーを露出させて、下層レイヤーに書き込まれた数字や絵柄等を表示させる、あるいはその時表示された数字や絵柄等の情報を、メールサーバーを介して第１クライアントに送信する、電子メールシステム。
【請求項２】
メールサーバーと、少なくとも第１クライアント及び第２クライアントとが電子通信回線を介して接続されている電子メールシステムにおいて、第１クライアントからメールサーバーを介して第２クライアントに電子メールを送信するに際して、第１クライアント側において、２層のレイヤー構造からなり、下層レイヤーには数字や絵柄等が書き込まれ、上層レイヤーは下層レイヤーの一部もしくは全部を覆い隠しているカードの画像を送信し、第２クライアント側において、そのカードの画像を受信して、そのカードの画像を保持した状態で、第２クライアントからメールサーバーを介して第１クライアントに電子メールを送信した時、第２クライアントが保持しているカードの画像の上層レイヤーの一部あるいは全部が透明化もしくは削除され、その部分の下層レイヤーを露出させて、下層レイヤーに書き込まれた数字や絵柄等を表示させる、あるいはその時表示された数字や絵柄等の情報を、メールサーバーを介して第１クライアントに送信する、電子メールシステム。
【請求項３】
メールサーバーと、少なくとも第１クライアント及び第２クライアント及び第３クライアントとが電子通信回線を介して接続されている電子メールシステムにおいて、第１クライアントからメールサーバーを介して第２クライアントに電子メールを送信するに際して、第１クライアント側において、２層のレイヤー構造からなり、下層レイヤーには数字や絵柄等が書き込まれ、上層レイヤーは下層レイヤーの一部もしくは全部を覆い隠しているカードの画像を送信し、第２クライアント側において、そのカードの画像を受信して、そのカードの画像を保持した状態で、第２クライアントからメールサーバーを介して第３クライアントに電子メールを送信し、第３クライアント側において、第２クライアントから送信されたその電子メールを受信して開封した時、あるいは第２クライアントから送信されたその電子メールを受信して開封した後、第３クライアントから第１クライアントにメールサーバーを介して電子メールを送信した時、その情報がメールサーバーを介して第２クライアントに送信され、第２クライアントがその情報を受信した時、第２クライアントが保持しているカードの画像の上層レイヤーの一部あるいは全部が透明化もしくは削除され、その部分の下層レイヤーを露出させて、下層レイヤーに書き込まれた数字や絵柄等を表示させる、あるいはその時表示された数字や絵柄等の情報を、メールサーバーを介して第１クライアントに送信する、電子メールシステム。
【請求項４】
メールサーバーと、少なくとも第１クライアント及び第２クライアント及び第３クライアント及び第４クライアントとが電子通信回線を介して接続されている電子メールシステムにおいて、第１クライアントからメールサーバーを介して第２クライアントに電子メールを送信するに際して、第１クライアント側において、２層のレイヤー構造からなり、下層レイヤーには数字や絵柄等が書き込まれ、上層レイヤーは下層レイヤーの一部もしくは全部を覆い隠しているカードの画像を送信し、第２クライアント側において、そのカードの画像を受信して、そのカードの画像を保持した状態で、第２クライアントからメールサーバーを介して第３クライアントに、第１クライアントから送信された該カードの画像とともに電子メールを送信し、第３クライアント側において、第２クライアントから送信されたその電子メールを受信して開封した時、あるいは第２クライアントから送信されたその電子メールを受信して開封した後、第３クライアントから第１クライアントにメールサーバーを介して電子メールを送信した時、その情報がメールサーバーを介して第２クライアントに送信され、第２クライアントがその情報を受信した時、第２クライアントが保持しているカードの画像の上層レイヤーの一部あるいは全部が透明化もしくは削除され、その部分の下層レイヤーを露出させて、下層レイヤーに書き込まれた数字や絵柄等を表示させる、あるいはその時表示された数字や絵柄等の情報を、メールサーバーを介して第１クライアントに送信するとともに、第３クライアント側において、第２クライアントから送信された該カードの画像を保持した状態で、第３クライアントからメールサーバーを介して第４クライアントに、第２クライアントから送信された該カードの画像とともに電子メールを送信し、第４クライアント側において、第３クライアントから送信されたその電子メールを受信して開封した時、あるいは第３クライアントから送信されたその電子メールを受信して開封した後、第４クライアントから第１クライアントにメールサーバーを介して電子メールを送信した時、その情報がメールサーバーを介して第３クライアント及び第２クライアントに送信され、第３クライアント及び第２クライアントがその情報を受信した時、第３クライアント及び第２クライアントが保持しているカードの画像の上層レイヤーの一部あるいは全部が透明化もしくは削除され、その部分の下層レイヤーを露出させて、下層レイヤーに書き込まれた数字や絵柄等を表示させる、あるいはその時表示された数字や絵柄等の情報を、メールサーバーを介して第１クライアントに送信する電子メールシステム。
【請求項５】
請求項４の電子メールシステムで、メールサーバーと、第１クライアント及び第２クライアント及び第３クライアント及び第４クライアント及び第５クライアント及び第６クライアントというように、不特定多数のクライアントが電子通信回線を介して接続されている電子メールシステムにおいて、第４クライアントはさらに第５クライアントに該カードの画像とともに電子メールを送信し、第５クライアントはさらに第６クライアントに該カードの画像とともに電子メールを送信し、というように送信側が連続するに伴い、受信側も第５クライアント、第６クライアントと連続し、その時受信側の開封情報、あるいは第１クライアントへの送信情報がメールサーバーを介して、最終クライアントの上位に位置する複数のクライアントへ送信され、その情報を複数のクライアントが受信した時、複数のクライアントが保持している該カードの画像の上層レイヤーの一部あるいは全部が透明化もしくは削除され、その部分の下層レイヤーを露出させて、下層レイヤーに書き込まれた数字や絵柄等を表示させる、あるいはその時表示された数字や絵柄等の情報を、メールサーバーを介して第１クライアントに送信する電子メールシステム。
【発明の詳細な説明】
【発明の詳細な説明】
【技術分野】
【０００１】  本発明は、電子通信回線を利用した電子情報伝達システムに関するものである
【背景技術】
【０００２】  今日、電気通信回線を利用した情報伝達システム、すなわち電子メールシステムは、社会生活はもとより、日常生活においても、必要不可欠なコミュニケーションツールとなっている。
そこで、今日、スクラッチカードはくじ引きなどに利用され、販売促進のツールとして普及しているが、それは現実世界のことであり、電子メールシステムの一部としてパソコンや携帯端末や携帯電話の画面上の仮想空間でそれを実現し、販売促進のツールとして利用している例はない。
【発明が解決しようとする課題】
【０００３】  本発明は、現実世界のスクラッチカードをパソコンや携帯端末や携帯電話の画面上で実現し、それを電子メールシステムの一部として取り込むことにより、販売促進のツールとして活用するものである。
今日、宣伝広告のメールが一方的に多量に送られてきて、多くの人々にとって迷惑な状況にある。そのような中、本発明はスクラッチカードを利用した特典付きのメールなので、受け取ったユーザーに喜ばれるものであり、従って大きな宣伝広告の手段になるものである。
【課題を解決するための手段】
【０００４】  本発明は、レイヤー構造による画像表示の手法を利用して、パソコンや携帯端末や携帯電話の画面上で、電子メールと組み合わせてスクラッチカードを実現する。
【０００５】  すなわち、２層のレイヤー構造からなるカードの画像をパソコンや携帯端末や携帯電話の画面上に表示させる。下層レイヤーには数字や絵柄等が書き込まれ、上層レイヤーは下層レイヤーの一部もしくは全部を覆い隠している。
そして、上層レイヤーの一部あるいは全部を透明化もしくは除去することにより、下層レイヤーを露出させて、下層レイヤーに書き込まれた数字や絵柄等を表示させ、あたかも表面を削り取って隠れた部分を露出させるスクラッチカードのような見え方を実現する。
この電子スクラッチカードは上層レイヤーを透明化もしくは除去することにより下層レイヤーを露出させる構造であり、現実のスクラッチカードそのものの構造と同じであるが、表現の仕方によっては、図５、図６に示されるように、台紙にシールを貼っていくシール集めのような見え方を実現することもできる。
【０００６】この電子スクラッチカードは主に広告主が販売促進の手段として、広告情報と合わせ、ユーザーに電子メールにより配布するものである。
電子スクラッチカードを受け取ったユーザーは上層レイヤーを透明化もしくは除去することにより、番号合わせや絵合わせや点数集めを行い、広告主の提供する特典を受ける。
上層レイヤーの透明化もしくは除去は、ポインタをカード上に合わせて、クリックしたりこすったりすることにより、もしくはタッチペンや指でカード上をクリックしたりこすったりすることにより、もしくは上層レイヤーの各部に番号や記号を配し、その番号や記号を指定することにより行う。
また、上層レイヤーの透明化もしくは除去は、電子メールによりユーザーが広告主のアンケートに答えた時、ユーザーが自分の知人に広告主の広告を電子メールにより送付し、それを知人が開封した時、ユーザーが自分の知人に広告主の広告を電子メールにより送付し、それを知人が開封して広告主のアンケートに答えた時にも自動的に行われる。
【０００７】  このように、上層レイヤーの透明化もしくは除去は、ユーザーが自分で行う自立的な場合と、ユーザーの知人の行動の結果によって行われる他律的な場合の２通りがある。
特に他律的に上層レイヤーの除去が行われるスクラッチカードの場合、ユーザーは積極的に知人に広告主の広告を送付するようになるので、広告宣伝の効果は大きくなる。この場合、ユーザーが知人に広告を無制限に送るようになれば広告宣伝としてはかえってマイナス効果になるので、ユーザーが知人に広告を送付するに当たってはなんらかの制限を設ける。
広告主は電子メールを利用した電子スクラッチカードの番号合わせや絵合わせや点数集めの結果によりユーザーに特典を提供することで、効果的な広告宣伝を行うことが出来る。
【０００８】  本発明は、メールサーバーと、少なくとも第１クライアント及び第２クライアントとが電子通信回線を介して接続されている電子メールシステムにおいて、第１クライアントからメールサーバーを介して第２クライアントに電子メールを送信するに際して、第１クライアント側において、２層のレイヤー構造からなり、下層レイヤーには数字や絵柄等が書き込まれ、上層レイヤーは下層レイヤーの一部もしくは全部を覆い隠しているカードの画像を送信し、第２クライアント側において、そのカードの画像を受信して、そのカードの画像を表示させ、ポインタをカード上に合わせて、クリックしたりこすったりすることにより、もしくはタッチペンや指でカード上をクリックしたりこすったりすることにより、もしくは上層レイヤーの各部に番号や記号を配し、その番号や記号を指定することにより、上層レイヤーの一部あるいは全部が透明化もしくは削除され、その部分の下層レイヤーを露出させて、下層レイヤーに書き込まれた数字や絵柄等を表示させる、あるいはその時表示された数字や絵柄等の情報を、メールサーバーを介して第１クライアントに送信するようにしたことを特徴とする。
【０００９】  本発明は、メールサーバーと、少なくとも第１クライアント及び第２クライアントとが電子通信回線を介して接続されている電子メールシステムにおいて、第１クライアントからメールサーバーを介して第２クライアントに電子メールを送信するに際して、第１クライアント側において、２層のレイヤー構造からなり、下層レイヤーには数字や絵柄等が書き込まれ、上層レイヤーは下層レイヤーの一部もしくは全部を覆い隠しているカードの画像を送信し、第２クライアント側において、そのカードの画像を受信して、そのカードの画像を保持した状態で、第２クライアントからメールサーバーを介して第１クライアントに電子メールを送信した時、第２クライアントが保持しているカードの画像の上層レイヤーの一部あるいは全部が透明化もしくは削除され、その部分の下層レイヤーを露出させて、下層レイヤーに書き込まれた数字や絵柄等を表示させる、あるいはその時表示された数字や絵柄等の情報を、メールサーバーを介して第１クライアントに送信するようにしたことを特徴とする。
【００１０】  本発明は、メールサーバーと、少なくとも第１クライアント及び第２クライアント及び第３クライアントとが電子通信回線を介して接続されている電子メールシステムにおいて、第１クライアントからメールサーバーを介して第２クライアントに電子メールを送信するに際して、第１クライアント側において、２層のレイヤー構造からなり、下層レイヤーには数字や絵柄等が書き込まれ、上層レイヤーは下層レイヤーの一部もしくは全部を覆い隠しているカードの画像を送信し、第２クライアント側において、そのカードの画像を受信して、そのカードの画像を保持した状態で、第２クライアントからメールサーバーを介して第３クライアントに電子メールを送信し、第３クライアント側において、第２クライアントから送信されたその電子メールを受信して開封した時、あるいは第２クライアントから送信されたその電子メールを受信して開封した後、第３クライアントから第１クライアントにメールサーバーを介して電子メールを送信した時、その情報がメールサーバーを介して第２クライアントに送信され、第２クライアントがその情報を受信した時、第２クライアントが保持しているカードの画像の上層レイヤーの一部あるいは全部が透明化もしくは削除され、その部分の下層レイヤーを露出させて、下層レイヤーに書き込まれた数字や絵柄等を表示させる、あるいはその時表示された数字や絵柄等の情報を、メールサーバーを介して第１クライアントに送信するようにしたことを特徴とする。
【００１１】  本発明は、メールサーバーと、少なくとも第１クライアント及び第２クライアント及び第３クライアント及び第４クライアントとが電子通信回線を介して接続されている電子メールシステムにおいて、第１クライアントからメールサーバーを介して第２クライアントに電子メールを送信するに際して、第１クライアント側において、２層のレイヤー構造からなり、下層レイヤーには数字や絵柄等が書き込まれ、上層レイヤーは下層レイヤーの一部もしくは全部を覆い隠しているカードの画像を送信し、第２クライアント側において、そのカードの画像を受信して、そのカードの画像を保持した状態で、第２クライアントからメールサーバーを介して第３クライアントに、第１クライアントから送信された該カードの画像とともに電子メールを送信し、第３クライアント側において、第２クライアントから送信されたその電子メールを受信して開封した時、あるいは第２クライアントから送信されたその電子メールを受信して開封した後、第３クライアントから第１クライアントにメールサーバーを介して電子メールを送信した時、その情報がメールサーバーを介して第２クライアントに送信され、第２クライアントがその情報を受信した時、第２クライアントが保持しているカードの画像の上層レイヤーの一部あるいは全部が透明化もしくは削除され、その部分の下層レイヤーを露出させて、下層レイヤーに書き込まれた数字や絵柄等を表示させる、あるいはその時表示された数字や絵柄等の情報を、メールサーバーを介して第１クライアントに送信するとともに、第３クライアント側において、第２クライアントから送信された該カードの画像を保持した状態で、第３クライアントからメールサーバーを介して第４クライアントに、第２クライアントから送信された該カードの画像とともに電子メールを送信し、第４クライアント側において、第３クライアントから送信されたその電子メールを受信して開封した時、あるいは第３クライアントから送信されたその電子メールを受信して開封した後、第４クライアントから第１クライアントにメールサーバーを介して電子メールを送信した時、その情報がメールサーバーを介して第３クライアント及び第２クライアントに送信され、第３クライアント及び第２クライアントがその情報を受信した時、第３クライアント及び第２クライアントが保持しているカードの画像の上層レイヤーの一部あるいは全部が透明化もしくは削除され、その部分の下層レイヤーを露出させて、下層レイヤーに書き込まれた数字や絵柄等を表示させる、あるいはその時表示された数字や絵柄等の情報を、メールサーバーを介して第１クライアントに送信するようにしたことを特徴とする。
【００１２】  本発明は、メールサーバーと、第１クライアント及び第２クライアント及び第３クライアント及び第４クライアント及び第５クライアント及び第６クライアントというように、不特定多数のクライアントが電子通信回線を介して接続されている電子メールシステムにおいて、第４クライアントはさらに第５クライアントに該カードの画像とともに電子メールを送信し、第５クライアントはさらに第６クライアントに該カードの画像とともに電子メールを送信し、というように送信側が連続するに伴い、受信側も第５クライアント、第６クライアントと連続し、その時受信側の開封情報、あるいは第１クライアントへの送信情報がメールサーバーを介して、最終クライアントの上位に位置する複数のクライアントへ送信され、その情報を複数のクライアントが受信した時、複数のクライアントが保持しているカードの画像の上層レイヤーの一部あるいは全部が透明化もしくは削除され、その部分の下層レイヤーを露出させて、下層レイヤーに書き込まれた数字や絵柄等を表示させる、あるいはその時表示された数字や絵柄等の情報を、メールサーバーを介して第１クライアントに送信するようにしたことを特徴とする。
【００１３】  以下に本発明を詳述する。
広告主はメールアドレスを取得したユーザーに対して広告の電子メールを送信するに際して、図１、図３、図５に示されるように、２層のレイヤー構造からなり、下層レイヤーには数字や絵柄等が書き込まれ、上層レイヤーは下層レイヤーの一部もしくは全部を覆い隠しているカードの画像を送信する。
そしてユーザーの側において、そのカードの画像を受信して、そのカードの画像を表示させ、ポインタをカード上に合わせて、クリックしたりこすったりすることにより、もしくはタッチペンや指でカード上をクリックしたりこすったりすることにより、もしくは図７に示されるように、上層レイヤーの各部に番号や記号を配し、その番号や記号を指定することにより、図２、図４、図６、図８に示されるように、上層レイヤーの一部あるいは全部が透明化もしくは削除され、その部分の下層レイヤーを露出させて、下層レイヤーに書き込まれた数字や絵柄等を表示させる。
この時、現れた数字や絵柄等が決められた条件にかなった時、ユーザーがそのことを広告主に自ら申告するか、もしくはそのことが電子通信回線を介して自動的に広告主に申告されて、特典を受けることができる。
【００１４】  広告主はメールアドレスを取得したユーザーに対して広告の電子メールを送信するに際して、図１、図３、図５、図７に示されるように、２層のレイヤー構造からなり、下層レイヤーには数字や絵柄等が書き込まれ、上層レイヤーは下層レイヤーの一部もしくは全部を覆い隠しているカードの画像を送信する。
そしてユーザーの側において、そのカードの画像を受信して、そのカードの画像をパソコンや携帯端末や携帯電話に保持した状態で、ユーザーが広告主にアンケートに答える電子メールを送信した時、ユーザーが保持しているカードの画像の、図２、図４、図６、図８に示されるように、上層レイヤーの一部あるいは全部が透明化もしくは削除され、その部分の下層レイヤーを露出させて、下層レイヤーに書き込まれた数字や絵柄等を表示させる。
この時、現れた数字や絵柄等が決められた条件にかなった時、ユーザーがそのことを広告主に自ら申告するか、もしくはそのことが電子通信回線を介して自動的に広告主に申告されて、特典を受けることができる。
【００１５】  広告主はメールアドレスを取得したユーザーに対して広告の電子メールを送信するに際して、図１、図３、図５、図７に示されるように、２層のレイヤー構造からなり、下層レイヤーには数字や絵柄等が書き込まれ、上層レイヤーは下層レイヤーの一部もしくは全部を覆い隠しているカードの画像を送信する。
そしてユーザーの側において、そのカードの画像を受信して、そのカードの画像をパソコンや携帯端末や携帯電話に保持した状態で、ユーザーが自分の知人に広告の入った電子メールを送信し、ユーザーの知人側において、送信されたその電子メールを受信して開封した時、あるいは送信されたその電子メールを受信して開封した後、その知人が広告主のアンケートに答える電子メールを送信した時、その情報がユーザーに送信され、ユーザーがその情報を受信した時、ユーザーが保持しているカードの画像の、図２、図４、図６、図８に示されるように、上層レイヤーの一部あるいは全部が透明化もしくは削除され、その部分の下層レイヤーを露出させて、下層レイヤーに書き込まれた数字や絵柄等を表示させる。
この時、現れた数字や絵柄等が決められた条件にかなった時、ユーザーがそのことを広告主に自ら申告するか、もしくはそのことが電子通信回線を介して自動的に広告主に申告されて、特典を受けることができる。
【００１６】  広告主はメールアドレスを取得したユーザーに対して広告の電子メールを送信するに際して、図１、図３、図５、図７に示されるように、２層のレイヤー構造からなり、下層レイヤーには数字や絵柄等が書き込まれ、上層レイヤーは下層レイヤーの一部もしくは全部を覆い隠しているカードの画像を送信する。
そしてユーザーの側において、そのカードの画像を受信して、そのカードの画像をパソコンや携帯端末や携帯電話に保持した状態で、ユーザーが自分の知人にカードの画像とともに広告の入った電子メールを送信し、ユーザーの知人側において、送信されたその電子メールを受信して開封した時、あるいは送信されたその電子メールを受信して開封した後、その知人が広告主のアンケートに答える電子メールを送信した時、その情報がユーザーに送信され、ユーザーがその情報を受信した時、ユーザーが保持しているカードの画像の、図２、図４、図６、図８に示されるように、上層レイヤーの一部あるいは全部が透明化もしくは削除され、その部分の下層レイヤーを露出させて、下層レイヤーに書き込まれた数字や絵柄等を表示させる。
そしてこの知人は更に自分の知人にカードの画像とともに広告の入った電子メールを送信し、ユーザーの知人側において、送信されたその電子メールを受信して開封した時、あるいは送信されたその電子メールを受信して開封した後、その知人が広告主のアンケートに答える電子メールを送信した時、その情報が送り主の知人と更に元のユーザーにに送信され、送り主の知人と元のユーザーがその情報を受信した時、送り主の知人と元のユーザーが保持しているカードの画像の、図２、図４、図６、図８に示されるように、上層レイヤーの一部あるいは全部が透明化もしくは削除され、その部分の下層レイヤーを露出させて、下層レイヤーに書き込まれた数字や絵柄等を表示させる。
この時、現れた数字や絵柄等が決められた条件にかなった時、送り主の知人と元のユーザーがそのことを広告主に自ら申告するか、もしくはそのことが電子通信回線を介して自動的に広告主に申告されて、特典を受けることができる。
【発明の効果】
本発明は以上のように構成されているので、今日、広告の電子メールが一方的に多量に送られてきて、多くの人々にとって迷惑な状況にある中で、本発明は特典付きのメールとして、受け取ったユーザーに喜ばれると同時に、受け取ることが楽しみとなり、ユーザーからその知人へ、そしてそのまたその知人へと、広告の電子メールが広がるので、広告主にとって大きな広告宣伝の手段となるものである。
【図面の簡単な説明】
【図１】上層レイヤーと数字の入った下層レイヤーを示す図
【図２】上層レイヤーの一部が透明化もしくは削除され、その部分の下層レイヤーが露出し、下層レイヤーに書き込まれた数字が表示されている図
【図３】上層レイヤーと絵柄の入った下層レイヤーを示す図
【図４】上層レイヤーの一部が透明化もしくは削除され、その部分の下層レイヤーが露出し、下層レイヤーに書き込まれた絵柄が表示されている図
【図５】上層レイヤーとシールの図柄が入った下層レイヤーを示す図
【図６】上層レイヤーの一部が透明化もしくは削除され、その部分の下層レイヤーが露出し、下層レイヤーに書き込まれたシールの図柄が表示されている図
【図７】各部に番号が入っている上層レイヤーと絵柄の入った下層レイヤー
【図８】上層レイヤーの一部が透明化もしくは削除され、その部分の下層レイヤーが露出し、下層レイヤーに書き込まれた絵柄が表示されている図  １は上層レイヤー  ２は数字の入った下層レイヤー  ３は上層レイヤー  ４は絵柄の入った下層レイヤー  ５は上層レイヤー  ６はシールの図柄が入った下層レイヤー  ７は各部に番号が入っている上層レイヤー  ８は絵柄の入った下層レイヤー
【図１】
2005222514.tif 000003
【図２】
2005222514.tif 000004
【図３】
2005222514.tif 000005
【図４】
2005222514.tif 000006
【図５】
2005222514.tif 000007
【図６】
2005222514.tif 000008
【図７】
2005222514.tif 000009
【図８】
2005222514.tif 000010